(57)【要約】【課題】  ガス吸引ホースが錯綜することがなく、貯留部内の各部のガス及びその濃度を確実に検知できるシステムを提供する。【解決手段】  廃棄物を貯留する貯留部の上方に設けられて、水平面内を移動可能な水平移動手段１と、該水平移動手段１に設けられた上下方向に移動可能な上下移動手段１３と、前記水平移動手段１に設けられ、該上下移動手段１３の上下移動に連動して回転可能な繰出・巻取手段２０と、該繰出・巻取手段２０に巻回されるとともに、先端部が前記上下移動手段１３に固定される、先端からガスを吸引可能なガス吸引ホース２２と、前記水平移動手段１に設けられ、該ガス吸引ホース２２から吸引したガスを検知し、検知結果を示すデータを送信するガス検知装置２５と、該ガス検知装置２５から送信されたデータを受信する管理装置３０とを備えている。【選択図】図１
2010179243.tif 000002
【特許請求の範囲】
【請求項１】
屋内廃棄物処分場のガス検知システムであって、
廃棄物を貯留する貯留部の上方に設けられて、水平面内を移動可能な水平移動手段と、
該水平移動手段に設けられた上下方向に移動可能な上下移動手段と、
前記水平移動手段に設けられ、該上下移動手段の上下移動に連動して回転可能な繰出・巻取手段と、
該繰出・巻取手段に巻回されるとともに、先端部が前記上下移動手段に固定される、先端からガスを吸引可能なガス吸引ホースと、
前記水平移動手段に設けられ、該ガス吸引ホースから吸引したガスを検知し、検知結果を示すデータを送信するガス検知装置と、
該ガス検知装置から送信されたデータを受信する管理装置とを備えていることを特徴とする屋内廃棄物処分場のガス検知システム。
【請求項２】
前記繰出・巻取手段には、前記ガス吸引ホースの先端の位置に関するデータを検出する位置検出手段が設けられ、該位置検出手段で検出したデータが前記ガス検知装置を介して前記管理装置に送信されることを特徴とする請求項１に記載の屋内廃棄物処分場のガス検知システム。
【請求項３】
前記水平移動手段は、一端を中心に旋回可能、又は長手方向に垂直な方向に移動可能なガータと、該ガータの長手方向に移動可能なトロリとからなり、
該トロリに、前記繰出・巻取手段、及び前記ガス検知装置が設けられていることを特徴とする請求項１又は２に記載の屋内廃棄物処分場のガス検知システム。
【請求項４】
前記ガス検知装置は、検知したデータを無線によって送信することを特徴とする請求項１から３の何れか１項に記載の屋内廃棄物処分場のガス検知システム。
【請求項５】
前記上下移動手段は、前記トロリに設けられるウインチと、該ウインチに繰り出し、巻取り可能に巻回されるワイヤと、ワイヤの先端部に取り付けられる支持フレームと、該支持フレームに開閉自在に取り付けられる廃棄物搬入用のバケットを有し、
前記支持フレームに前記ガス吸引ホースの先端部が固定されていることを特徴とする請求項１から４の何れか１項に記載の屋内廃棄物処分場のガス検知システム。
【発明の詳細な説明】
【技術分野】
【０００１】
本発明は、屋内廃棄物処分場のガス検知システムに関する。
【背景技術】
【０００２】
廃棄物処分場に廃棄物を埋め立て処分する場合、埋め立てた廃棄物からメタンガス、水素ガス、硫化水素ガス等の各種のガスが発生するため、発生するガスの種類及びその濃度をセンサによって検知し、検知したデータに基づいて消火や覆土等の対策を採る等して管理を行っている。
【０００３】
また、近年、処分場の廃棄物から発生する粉塵や悪臭によって周辺環境が汚染等されるのを防止するため、建屋内に廃棄物を貯留する貯留部を設けた閉鎖式廃棄物処分場（屋内廃棄物処分場）が建設されている。
【０００４】
このような屋内廃棄物処分場は、建屋内に廃棄物の貯留部を設けているので、廃棄物から発生するガスが処分場外に拡散しにくい状態になっているため、貯留部内で各種の作業を行う作業者が危険に晒されることがないように、埋め立てた廃棄物から発生するガスの種類及びその濃度を検知し、検知したデータに基づいて警報を発したり、換気装置を作動させる等の対策を採り、作業者の安全を確保する必要がある。
【０００５】
そこで、例えば特許文献１には、屋内廃棄物処分場の廃棄物から発生するガスの種類及びその濃度を検知するガス検知システムの一例が記載されている。
このガス検知システムは、建屋の天井部にガスサンプリング管を垂直方向及び水平方向に移動可能に設け、このガスサンプリング管によって貯留部内の廃棄物から発生するガスを吸引することで、ガスの種類及びその濃度を検知している。
【０００６】
かかる構成によれば、ガスサンプリング管を垂直方向及び水平方向に移動させることで、建屋内の各部において、ガスの種類及びその濃度を検知することができる。
【先行技術文献】
【特許文献】
【０００７】
【特許文献１】特開２００５−１８６０２４号公報
【発明の概要】
【発明が解決しようとする課題】
【０００８】
ところで、上記のような構成の屋内廃棄物処分場のガス検知システムにあっては、建屋の天井部の中央部及び両側にガイドレールを設け、ガイドレール上を走行可能に台車を設け、台車に支持バーを連結し、支持バーに複数のガイドプーリを設け、この複数のガイドプーリにガスサンプリング管を掛け渡し、ガスサンプリング管の先端側を先端側のガイドプーリから垂下させ、ガスサンプリング管の後端側を処分場の外部に引き出し、処分場の外部のモニタリング室のホースリールに巻回させることで、ガスサンプリング管を垂直方向及び水平方向に移動可能に構成している。このため、各ガスサンプリング管の全長が非常に長くなり、各ガスサンプリング管をホースリールから繰り出し、又は巻き取る際に、各ガスサンプリング管が錯綜するおそれがある。
【０００９】
また、各ガスサンプリング管は、ガイドレールによって水平方向の一方向のみに移動可能に構成されているため、この方向から外れた位置のガスの種類及びその濃度を検知することができない。
【００１０】
本発明は、上記のような従来の問題に鑑みなされたものであって、ガスを吸引するガス吸引管が錯綜することがなく、また、建屋内の上下方向及び水平方向の任意の位置のガスの種類及びその濃度を検知することができ、検知したデータに基づいて適切な対策を早急に採ることができる、屋内廃棄物処分場のガス検知システムを提供することを目的とする。
【課題を解決するための手段】
【００１１】
上記のような課題を解決するために、本発明は、以下のような手段を採用している。
すなわち、本発明は、屋内廃棄物処分場のガス検知システムであって、廃棄物を貯留する貯留部の上方に設けられて、水平面内を移動可能な水平移動手段と、該水平移動手段に設けられた上下方向に移動可能な上下移動手段と、前記水平移動手段に設けられ、該上下移動手段の上下移動に連動して回転可能な繰出・巻取手段と、該繰出・巻取手段に巻回されるとともに、先端部が前記上下移動手段に固定される、先端からガスを吸引可能なガス吸引ホースと、前記水平移動手段に設けられ、該ガス吸引ホースから吸引したガスを検知し、検知結果を示すデータを送信するガス検知装置と、該ガス検知装置から送信されたデータを受信する管理装置とを備えていることを特徴とする。
【００１２】
本発明の屋内廃棄物処分場のガス検知システムによれば、貯留部内において、ガス吸引ホースを水平方向及び上下方向の任意の位置に移動させることができるので、貯留部内の各部において、廃棄物から発生するガスの種類及びその濃度を検知することができる。
また、ガス吸引ホースは、水平移動手段に設けられる繰出・巻取手段に巻回されているので、水平移動手段が水平方向へ移動しても、ガス吸引ホースが水平方向に移動することはなく、しかもガス吸引ホースは水平移動手段と上下移動手段との間だけに設けられているのでホース長を短くすることができ、ガス吸引ホースが錯綜するのを防止できる。さらに、繰出・巻取手段は、上下移動手段の上下移動に連動して回転するように構成されているので、上下移動手段の上下移動の際に、ガス吸引ホースが引っ張られるようなこともない。
【００１３】
また、本発明において、前記繰出・巻取手段には、前記ガス吸引ホースの先端の位置に関するデータを検出する位置検出手段が設けられ、該位置検出手段で検出したデータが前記ガス検知装置を介して前記管理装置に送信されることとしてもよい。
【００１４】
本発明の屋内廃棄物処分場のガス検知システムによれば、ガス吸引ホースの先端の位置に関するデータを検出することができるので、ガス吸引ホースにより吸引したガスの位置、種類、及び濃度を検知することができ、得られたデータに基づいて適切な対策を採ることができる。
【００１５】
また、本発明において、前記水平移動手段は、一端を中心に旋回可能、又は長手方向に垂直な方向に移動可能なガータと、該ガータの長手方向に移動可能なトロリとからなり、  該トロリに、前記繰出・巻取手段、及び前記ガス検知装置が設けられていることとしてもよい。
【００１６】
さらに、本発明において、前記ガス検知装置は、検知したデータを無線によって送信することとしてもよい。
【００１７】
さらに、本発明において、前記上下移動手段は、前記トロリに設けられるウインチと、該ウインチに繰り出し、巻取り可能に巻回されるワイヤと、ワイヤの先端部に取り付けられる支持フレームと、該支持フレームに開閉自在に取り付けられる廃棄物搬入用のバケットを有し、前記支持フレームに前記ガス吸引ホースの先端部が固定されていることとしてもよい。
【００１８】
このようにすれば、ガス検知装置が水平移動手段のトロリに設けられているので、廃棄物用のバケットの開閉による振動を検知装置に伝達しにくくでき、ガス検知器の長寿命化を図ることができる。
【発明の効果】
【００１９】
以上、説明したように、本発明の屋内廃棄物処分場のガス検知システムによれば、貯留部内において、ガス吸引ホースを水平方向及び上下方向の任意の位置に移動させることができるので、貯留部内の各部において、廃棄物から発生するガスの種類及びその濃度を検知することができ、検知したガスのデータに基づいて適切な対策を採ることができる。
さらに、ガス検知装置で検知したデータを無線により送信する場合には、ガス検知装置と管理装置とをケーブルで電気的に接続するための煩雑な作業を省略できるとともに、ケーブルが途中で断線するようなこともなく、検知したデータを確実に管理装置に送信することができる。
【図面の簡単な説明】
【００２０】
【図１】本発明による屋内廃棄物処分場のガス検知システムの一実施の形態の側断面図であって、中心部から左側部分のみを示した側断面図である。
【図２】図１のＡ矢視図である。
【図３】ガス検知システムのブロック図である。
【発明を実施するための最良の形態】
【００２１】
以下、図面を参照しながら、本発明の実施の形態について説明する。
本実施の形態の屋内廃棄物処分場のガス検知システムは、地表面に開口する円筒状の貯留部３５と、この貯留部３５の底面の中心部に立設されたセンターシャフト部３６と、貯留部３５の上部開口を覆う建屋３７とを備えた処分場に適用したものであって、センターシャフト部３６と貯留部３５の開口周縁部との間に架け渡される水平移動手段１と、水平移動手段１に設けられる上下移動手段１３と、水平移動手段１に設けられるとともに、上下移動手段１３に連動して回転可能な繰出・巻取手段２０と、繰出・巻取手段２０に巻回されるガス吸引ホース２２と、水平移動手段１に設けられるガス検知装置２５と、貯留部３５外に設けられる管理装置３０とを備えている。
なお、センターシャフト部３６の内部には、散水用の配管等の各種の配管、各種の換気ダクト、監査路等が設けられている。
【００２２】
水平移動手段１は、旋回式天井クレーンであって、センターシャフト部３６を中心として貯留部３５の周方向に旋回可能なガータ２と、ガータ２の上部に設けられるとともに、ガータ２の長手方向に移動可能なトロリ１０とを備えている。
【００２３】
ガータ２は、センターシャフト部３６の上部に回転可能に設けられる内側支持脚４と、貯留部３５の開口周縁部に旋回可能に設けられる外側支持脚６との間に架け渡されている。この場合、内側支持脚４は、センターシャフト部３６の上部に軸受５によって回転可能に支持され、外側支持脚６は、貯留部３５の開口周縁部に敷設されたレール７及びレール７上を転動可能な外側支持脚６に設けられた車輪８によって旋回可能に支持されている。
【００２４】
そして、モータ等の駆動源（図示せず）によって外側支持脚６の車輪８を回転させることにより、車輪８がレール７上を転動し、ガータ２がセンターシャフト部３６を中心として貯留部３５の周方向に旋回するように構成されている。
【００２５】
トロリ１０は、ガータ２の上部に搭載されて、ガータ２の長手方向に移動可能な台車本体１１と、台車本体１１をガータ２の長手方向に移動させる駆動源（図示せず）とを備え、台車本体１１の上部に後述する上下移動手段１３、繰出・巻取手段２０、及びガス検知装置２５が設けられている。
【００２６】
台車本体１１の上部には配電盤（図示せず）が設けられ、この配電盤にガータ２の下部に吊設された電源ケーブル１２が接続されるとともに、この配電盤に台車本体１１の駆動源、後述するウインチ１４の駆動源、リール２１の駆動源、及びバケット１７の開閉用の駆動源がケーブルを介してそれぞれ電気的に接続されている。
【００２７】
ガータ２の上部には、全長に亘ってレール９が敷設されるとともに、このレール９上を転動可能な車輪（図示せず）が台車本体１１に設けられ、駆動源（図示せず）により車輪を回転させることにより、台車本体１１がガータ２の長手方向に移動する。
【００２８】
上下移動手段１３は、台車本体１１に設けられたウインチ１４と、ウインチ１４の駆動源（図示せず）と、ウインチ１４に繰り出し、巻き取り可能に巻回されるワイヤ１５と、ワイヤ１５の先端部に取り付けられる支持フレーム１６と、支持フレーム１６に開閉自在に取り付けられる廃棄物搬入用のバケット１７と、支持フレーム１６に設けられるバケット１７の開閉用の駆動源（図示せず）とを備えている。
【００２９】
繰出・巻取手段２０は、台車本体１１の上部に回転可能に設けられたリール２１と、リール２１の駆動源（図示せず）とを備え、リール２１にガス吸引ホース２２が繰り出し、巻き取り可能に巻回されている。なお、リール２１の駆動源は、上下移動手段１３のウインチ１４の駆動源に連動するように構成されている。
【００３０】
ガス吸引ホース２２の先端部にはガスの吸引口２３が設けられている。ガス吸引ホース２２は、リール２１の周囲に巻回された状態で先端部が上下移動手段１３の支持フレーム１６から張り出した吊り治具１８に締結バンド等の固定手段（図示せず）によって固定され、後端部が水平移動手段１の台車本体１１に設けられる後述するガス検知装置２５に接続されている。ガス吸引ホース２２は、先端がバケット１７の底部よりも上方に位置するように、吊り治具１８に固定されている。
【００３１】
かかる構成によれば、ウインチ１４の駆動源を駆動させて、ウインチ１４からワイヤ１５を繰り出し、又は巻き取ることによってバケット１７を上下方向に移動させるとともに、ウインチ１４の駆動源に連動してリール２１の駆動源を駆動することで、バケット１７の上下方向への移動に追従してリール２１からガス吸引ホース２２が繰り出され、又は巻き取られ、これにより、ガス吸引ホース２２の吸引口２３がバケット１７に追従して上下方向に移動することになる。
【００３２】
また、リール２１の駆動源には、リール２１の回転位置を検出するロータリエンコーダ等の位置検出手段（図示せず）が設けられ、この位置検出手段によって検出したリール２１の回転位置に応じて、リール２１から繰り出され、又はリール２１に巻き取られるガス吸引ホース２２の先端位置が検出される。
【００３３】
ガス検知装置２５は、水平移動手段１の台車本体１１の上部に設けられるものであって、ガス吸引ホース２２を介してガスを吸引するポンプ２６と、ポンプ２６により吸引したガスの種類及びその濃度を検知するガス検知部２７と、無線送信部２８とを備えている。
【００３４】
ガス検知装置２５のガス検知部２７による検知結果を示すデータ（以下、ガス検知データという。）、及び位置検出手段により検出したガス吸引ホース２２の先端位置を示すデータ（以下、ホース位置データという。）は、ガス検知装置２５の無線送信部２８から無線によって管理装置３０に送信される。
【００３５】
なお、本実施の形態においては、ガス検知装置２５に７種類のガス（メタンガス、水素ガス、硫化水素ガス、酸素ガス、一酸化炭素ガス、二酸化炭素ガス、アンモニアガス）及びその濃度を検知するガス検知部２７を設けている。
【００３６】
管理装置３０は、貯留部３５外に設けられ、ガス検知装置２５の送信部２８から無線によって送信されたガス検知データ及びホース位置データを受信する受信部３１と、受信部３１が受信したガス検知データ及びホース位置データを出力する制御部３２とを備えている。
【００３７】
なお、受信部３１を建屋３７の壁面に設け、制御部３２を建屋３７の外部に設置した管理室内に設け、あるいは、受信部３１及び制御部３２を共に管理室内に設けるように構成してもよい。
【００３８】
管理装置３０の受信部３１で受信したガス検知データ及びホース位置データは、制御部３２によって管理室内に設置されているモニター等に出力される。また、制御部３２によって出力されたガス検知データ及びホース位置データに基づいて、適切な対策（警報器の駆動、換気装置の駆動等）が採られる。
【００３９】
上記のような構成の廃棄物処分場においては、水平移動手段１の台車本体１１をガータ２の長手方向に移動させるとともに、ウインチ１４の駆動源（図示せず）を駆動させて、ウインチ１４からワイヤ１５を繰り出し、又は巻き取ることによってバケット１７を上下方向に移動させ、さらに、バケット１７の開閉用の駆動源（図示せず）を駆動させて、バケット１７を開閉させることにより、貯留部３５の周縁部に待機しているダンプトラック３８の荷台から廃棄物を受け取り、その廃棄物を貯留部３５内に搬入して埋め立て処分することができる。
【００４０】
また、上記のような廃棄物処分場に適用した本実施の形態の廃棄物処分場のガス検知システムにあっては、貯留部３５内において、ガス吸引ホース２２を水平移動手段１及び上下移動手段１３によって水平方向及び上下方向の任意の位置に移動させることができるので、貯留部３５内の各部において、廃棄物から発生するガスの種類及びその濃度を検知することができる。また、ガス吸引ホース２２の先端位置のデータも同時に検出することができるので、ガスを検知した位置データも同時に取得することができる。従って、得られたガス検知データ及びホース位置データに基づいて、各位置に存在するガスの種類と濃度を把握できるので、得られたデータが貯留部３５内での各種の作業を妨げるような場合に、適切な対策（警報器の作動、換気装置の作動等）を採ることができ、貯留部３５内で各種の作業を行う作業者の安全を確保することができる。
【００４１】
さらに、ガス吸引ホース２２は、繰出・巻取手段２０のリール２１に繰り出し、巻き取り可能に巻回されるとともに、繰出・巻取手段２０は、水平移動手段１のトロリ１の台車本体１１に設けられて、台車本体１１と一体にガータ２の長手方向に移動するように構成されているので、貯留部３５内でガス吸引ホース２２を上下方向及び水平方向に移動させても、ガス吸引ホース２２が水平方向に移動することはなく、しかも上下させるだけなのでホース長を短くでき、ガス吸引ホース２２が錯綜するようなことはなく、貯留部３５内の各部において、廃棄物から発生するガスをガス吸引ホース２２を介して確実に吸引して検知することができ、ガスの検知精度を大幅に高めることができる。
【００４２】
さらに、ガス検知装置２５で検知したガス検知データ及びホース位置データを、貯留部３５外の管理装置３０に無線によって送信した場合には、ガス検知装置２５と管理装置３０とをケーブルで電気的に接続するための煩雑な作業を省略できるとともに、ケーブルが途中で断線するようなこともなく、検知したデータを確実に管理装置３０に送信することができる。
【００４３】
なお、上記の説明においては、本発明による屋内廃棄物処分場の検知システムを、旋回式クレーンが設置された円筒状の貯留部３５を備えた処分場に適用したが、水平面上で直交する２方向に移動可能な天井クレーンが設置された処分場に適用してもよい。
【００４４】
また、上記の説明においては、繰出・巻取手段２０をリール２１によって構成し、リール２１にガス吸引ホース２２が繰り出し、巻き取り可能に巻回したが、リール２１に限らず、ガス吸引ホース２２を繰り出し、巻き取り可能な機能を有するものであればよい。
【符号の説明】
【００４５】
１  水平移動手段
２  ガータ
４  内側支持脚
５  軸受
６  外側支持脚
７  レール
８  車輪
９  レール
１０  トロリ
１１  台車本体
１２  電源ケーブル
１３  上下移動手段
１４  ウインチ
１５  ワイヤ
１６  支持フレーム
１７  バケット
１８  吊り治具
２０  繰出・巻取手段
２１  リール
２２  ガス吸引ホース
２３  ガス吸引口
２５  ガス検知装置
２６  ポンプ
２７  ガス検知部
２８  送信部
３０  管理装置
３１  受信部
３２  制御部
３５  貯留部
３６  センターシャフト部
３７  建屋
３８  ダンプトラック
【図１】
2010179243.tif 000003
【図２】
2010179243.tif 000004
【図３】
2010179243.tif 000005